(57)【要約】  本発明は、大腿骨遠位部に固定する、２つの顆状面（１ａ，１ｂ）を有する大腿骨コンポーネント（１）と、脛骨近位部に固定する脛骨コンポーネント（２）と、これら２つのコンポーネント（１，２）の間の複数の滑動面とを備えた膝用体内プロテーゼに関する。当該膝用体内プロテーゼが、天然膝関節の解剖学的および運動学的な特性を最適に複製すると同時に、特に適切な材料の組合せと摩耗発生面の減少とに基づき最小限の摩耗を有するようにするために、本発明では、前記脛骨コンポーネント（２）に関節接合する前記大腿骨コンポーネント（１）全体、ただし少なくとも前記大腿骨コンポーネント（１）の各前記顆状面（１ａ，１ｂ）が、固く焼結されたセラミックから成っており、前記脛骨コンポーネント（２）は、固く焼結されたセラミックから成る脛骨プラトー（１１）を有しており、該脛骨プラトー（１１）は、前記大腿骨コンポーネント（１）に面した上面に球面状の内側ベアリングシェル（７）を有しており、該球面状の内側ベアリングシェル（７）は、前記脛骨プラトー（１１）の組込み構成部材でありかつ前記脛骨プラトー（１１）と一体的に形成されており、前記大腿骨内側顆部（１ａ）の関節面も同様に球面状に形成されていて、前記球面状の内側ベアリングシェル（７）と共に１つの合致したボールジョイントを成しており、前記球面状の内側ベアリングシェル（７）に並んで外側には、前記大腿骨コンポーネント（１）の回動を可能にする、前後方向において複数の半径から形成されていて、前記脛骨プラトー（１１）と一体的に形成されているか、または前記脛骨プラトー（１１）に対して相対的に可動のインレーである、前記大腿骨顆部（１ｂ）とは合致しないベアリングシェル（８）が配置されていることを提案する。
2018529477.tif 000002
【特許請求の範囲】
【請求項１】
大腿骨遠位部に固定する、２つの顆状面（１ａ，１ｂ）を有する大腿骨コンポーネント（１）と、脛骨近位部に固定する脛骨コンポーネント（２）と、これら２つのコンポーネント（１，２）の間の複数の滑動面とを備えた膝用体内プロテーゼにおいて、
前記脛骨コンポーネント（２）に関節接合する前記大腿骨コンポーネント（１）全体、ただし少なくとも前記大腿骨コンポーネント（１）の各前記顆状面（１ａ，１ｂ）は、固く焼結されたセラミックから成っており、前記脛骨コンポーネント（２）は、固く焼結されたセラミックから成る脛骨プラトー（１１）を有しており、該脛骨プラトー（１１）は、前記大腿骨コンポーネント（１）に面した上面に球面状の内側ベアリングシェル（７）を有しており、該球面状の内側ベアリングシェル（７）は、前記脛骨プラトー（１１）の組込み構成部材でありかつ前記脛骨プラトー（１１）と一体的に形成されており、大腿骨内側顆部（１ａ）の関節面も同様に球面状に形成されていて、前記球面状の内側ベアリングシェル（７）と共に１つの合致したボールジョイントを成しており、前記球面状の内側ベアリングシェル（７）に並んで外側には、前記大腿骨コンポーネント（１）の回動を可能にする、前後方向において複数の半径から形成されていて、前記脛骨プラトー（１１）と一体的に形成されているか、または前記脛骨プラトー（１１）に対して相対的に可動のインレーである、大腿骨顆部（１ｂ）とは合致しないベアリングシェル（８）が配置されていることを特徴とする、膝用体内プロテーゼ。
【請求項２】
前記脛骨プラトー（１１）は、脛骨近位部に面した下面に、固定用のボルト（６）を有している、請求項１記載の膝用体内プロテーゼ。
【請求項３】
前記インレーは、ＵＨＭＷＰＥ，ＰＥＥＫ，ＰＡＥＫまたは複合材料または固く焼結されたセラミックまたはポリエチレンから成る、請求項１または２記載の膝用体内プロテーゼ。
【請求項４】
前記インレーは、前記脛骨プラトー（１１）上の溝（９）内で可動である、請求項１から３までのいずれか１項記載の膝用体内プロテーゼ。
【請求項５】
前記溝（９）は、前後方向において直線的に形成されているか、または大腿骨回動を決定する曲率半径を備えて形成されている、請求項４記載の膝用体内プロテーゼ。
【請求項６】
前記大腿骨回動は、最大１５度の内回りと外回りとに制限されている、請求項１から５までのいずれか１項記載の膝用体内プロテーゼ。
【請求項７】
前記ベアリングシェル（７）またはインレーは、前方向に隆起部（１０）を有している、請求項１から６までのいずれか１項記載の膝用体内プロテーゼ。
【請求項８】
前記顆状面（１ｂ）は、前記ベアリングシェル（８）内で関節接合しており、屈曲運動の他に、前後方向での並進運動をも行うことができる、請求項１から７までのいずれか１項記載の膝用体内プロテーゼ。
【請求項９】
請求項１から８までのいずれか１項記載の膝用体内プロテーゼの脛骨コンポーネントにおいて、該脛骨コンポーネント（２）は、固く焼結されたセラミックから成る脛骨プラトー（１１）を有しており、該脛骨プラトー（１１）は、球面状の内側ベアリングシェル（７）を有しており、該球面状の内側ベアリングシェル（７）は、前記脛骨プラトー（１１）の組込み構成部材でありかつ前記脛骨プラトー（１１）と一体的に形成されており、前記球面状の内側ベアリングシェル（７）に並んで、前記大腿骨コンポーネント（１）の回動を可能にする、前後方向において複数の半径から形成されていて、前記脛骨プラトー（１１）と一体的に形成されているか、または前記脛骨プラトー（１１）に対して相対的に可動なインレーである、前記大腿骨顆部とは合致しないベアリングシェル（８）が配置されていることを特徴とする、膝用体内プロテーゼの脛骨コンポーネント。
【発明の詳細な説明】
【技術分野】
【０００１】
本発明は、大腿骨遠位部に固定する、２つの顆状面を有する大腿骨コンポーネントと、脛骨近位部に固定する脛骨コンポーネントと、これら２つのコンポーネントの間の複数の滑動面とを備えた膝用体内プロテーゼに関する。
【０００２】
本発明は全体的に、膝関節を少なくとも部分的に代替する膝用体内プロテーゼの改良に関する。部分的もしくは全体的に膝関節を代替するための膝用体内プロテーゼは、典型的には大腿骨遠位部に固定する大腿骨コンポーネントと、脛骨近位部に固定する脛骨コンポーネントとから成り、この場合、脛骨コンポーネントは、大腿骨コンポーネントと関節接合するインサートまたは半月板コンポーネントを有している。
【０００３】
米国特許第６０１３１０３号明細書（US 6,013,103）に記載の膝用体内プロテーゼでは、脛骨部品の表面が平らに形成されていて、この平面における半月板部品の摺動を可能にしており、この場合、半月板部品は、内側顆部滑動面と外側顆部滑動面の両方を有している。大腿骨コンポーネントの内側顆部と、半月板部品の内側ベアリングシェルとは、同様に球面状に形成されている。つまり半月板部品は３つの滑動面、すなわち内側顆部、外側顆部および脛骨部品上面／半月板部品下面を有している。
【０００４】
実地において、このような構成形式の膝用体内プロテーゼにより、解剖学的および運動学的条件は確かに比較的良好に複製され得るが、合計３つの摩擦面に起因して、材料技術的に互いに最適には適合されていない各滑動面は、固定された半月板部品に対して高められた材料摩耗を有しており、ひいてはインプラントの弛緩のリスクが高くなっている、ということが判った。
【０００５】
本発明の根底を成す課題は、天然膝関節の解剖学的および運動学的な特性を最適に複製すると同時に、特に適切な材料の組合せと摩耗発生面の減少とに基づき最小限の摩耗を有するように、膝用体内プロテーゼを形成することにある。
【０００６】
この課題は本発明に基づき、脛骨コンポーネントに関節接合する大腿骨コンポーネント全体、ただし少なくとも大腿骨コンポーネントの各顆状面は、固く焼結されたセラミックから成っており、脛骨コンポーネントは、固く焼結されたセラミックから成る脛骨プラトーを有しており、脛骨プラトーは、大腿骨コンポーネントに面した上面に球面状の内側ベアリングシェルを有しており、球面状の内側ベアリングシェルは、脛骨プラトーの組込み構成部材でありかつ脛骨プラトーと一体的に形成されており、大腿骨内側顆部の関節面も同様に球面状に形成されていて、球面状の内側ベアリングシェルと共に１つの合致したボールジョイントを成しており、球面状の内側ベアリングシェルに並んで外側には、大腿骨コンポーネントの回動を可能にする、前後方向において複数の半径から形成されていて、脛骨プラトーと一体的に形成されているか、または脛骨プラトーに対して相対的に可動のインレーである、大腿骨顆部とは合致しないベアリングシェルが配置されていることにより、解決される。このようにして摩耗発生面が減少されたことにより、最小限の摩耗が生じることになる。
【０００７】
好適には、脛骨プラトーは脛骨近位部に面した下面に、固定用のボルトを有している。有利には、このボルトは固く焼結されたセラミックから成っており、脛骨プラトーと一体的に形成されている。ボルトは非円形横断面を有していてよく、ひいては天然脛骨内に回動不能に固定されるようになっている。
【０００８】
前記インレーは、好適にはＵＨＭＷＰＥ（超高分子量ポリエチレン），ＰＥＥＫ（ポリエーテルエーテルケトン），ＰＡＥＫ（芳香族ポリエーテルケトン）または複合材料または固く焼結されたセラミックまたはポリエチレンから成る。
【０００９】
インレーは、脛骨プラトー上の溝内で可動であってよく、これにより、大腿骨コンポーネントの回動が可能になっている。溝は、有利には前後方向において直線的に形成されているか、または大腿骨回動を決定する曲率半径を備えて形成されている。
【００１０】
大腿骨回動は、好適には最大１５度の内回りと外回りとに制限されている。
【００１１】
伸展（伸長状態）におけるジョイント安定化のために、好適にはベアリングシェルまたはインレーは、前方向に隆起部を有している。
【００１２】
ベアリングシェル内で関節接合する顆状面１ｂは、有利には屈曲運動の他に、前後方向での並進運動をも行う。
【００１３】
膝用体内プロテーゼの、本発明による脛骨コンポーネントは、該脛骨コンポーネントが、固く焼結されたセラミックから成る脛骨プラトーを有しており、脛骨プラトーは、球面状の内側ベアリングシェルを有しており、球面状の内側ベアリングシェルは、脛骨プラトーの組込み構成部材でありかつ脛骨プラトーと一体的に形成されており、球面状の内側ベアリングシェルに並んで、大腿骨コンポーネントの回動を可能にする、前後方向において複数の半径から形成されていて、脛骨プラトーと一体的に形成されているか、または脛骨プラトーに対して相対的に可動なインレーである、大腿骨顆部とは合致しないベアリングシェルが配置されていることを特徴とする。
【００１４】
つまり本発明は、膝用体内プロテーゼであって、脛骨部品と、２つの顆状面を有する大腿骨部品と、専ら大腿骨外側顆部と脛骨部品との間にのみ配置された唯一つの半月板部品とを備えており、該半月板部品はその上面に、大腿骨部品の外側顆状面を受容しかつ支持するためのベアリングシェルを有しており、かつその下面に、脛骨部品と固く、ただし解離可能に結合するための固定機構を有しており、内側ベアリングシェルは、脛骨プラトーの組込み構成部材であり、該ベアリングシェルは、球面状の幾何学形状を有しておりかつ大腿骨内側顆部の球面状の幾何学形状と共に１つの合致したボールジョイントを成しており、脛骨部品は、内側ベアリングシェルと共に１つの共通の構成部材（モノブロック）を形成しており、かつ好適にはセラミック材料から製造されていて、やはりセラミックから製造された大腿骨部品に関節接合するものに関する。モジュール式の外側の半月板部品−固定または可動−は、好適にはＵＨＭＷＰＥから製造されており、やはりセラミックの大腿骨顆部に関節接合する。
【００１５】
内側ベアリングシェルが、セラミックの脛骨プラトーの組込み構成部材でありかつ球面状に形成されていることにより、この内側ボールジョイントは、腰用体内プロテーゼにおけるセラミック／セラミック関節と比較可能な、セラミック／セラミック滑り対による最大限の合致をもたらすと共に、最小の摩耗を約束する。外側では、セラミックの脛骨部品に結合されるべきまたは脛骨部品に対して相対的に可動のインレーの、大腿骨コンポーネントの回動を可能にする、大腿骨顆部とは一致しないベアリングシェルが、天然関節と十分に比較可能な動作機構を保証しており、この場合、インレーは、ＵＨＭＷＰＥ，ＰＥＥＫ，ＰＡＥＫ、例えばセラミック／ポリエチレン等の様々な材料から成る複合材料から製造されている。
【図面の簡単な説明】
【００１６】
【図１】本発明による膝関節用体内プロテーゼを示す図である。
【図２】図１に示した脛骨コンポーネントを上から見た図である。
【図３】図２に示した３−３線に沿った断面図である。
【図４】図３に示した４−４線に沿った断面図である。
【図５】図３に示した５−５線に沿った断面図である。
【００１７】
図１に示す、本発明による膝関節用体内プロテーゼは、大腿骨遠位部に固定するための大腿骨コンポーネント１を有する、２つの顆状面１ａ，１ｂから成る大腿骨部品と、脛骨近位部に固定するための脛骨コンポーネント２とを備えている。脛骨コンポーネントは脛骨プラトーから成り、脛骨プラトーの、脛骨に面した固定用の下面には、ボルト６が配置されている。上面、すなわち脛骨プラトーの、大腿骨コンポーネント１に面した側には、本発明に基づき内側ベアリングシェル７が、セラミックの脛骨プラトーの組込み構成部材として配置されている。この内側ベアリングシェル７は、球面状に形成されている。大腿骨コンポーネント１と脛骨コンポーネント２とは両方共、固く焼結されたセラミックから製造されている、すなわちセラミック部品である。これにより、長期使用においてもほとんど摩耗しない、セラミック／セラミック滑り対が得られることになる。内側ベアリングシェル７に並んで外側には、大腿骨コンポーネントの回動を可能にする、前後方向において複数の半径から形成された、ひいては大腿骨顆部とは合致しないベアリングシェル８が配置されている。このベアリングシェル８は、脛骨コンポーネント２と固く結合されたベアリングシェルであってよいか、または脛骨コンポーネント２に対して相対的に可動であり、天然関節と十分に同等の動作機構を有するインレーであってよい。可動のインレーは、好適にはＵＨＭＷＰＥ，ＰＥＥＫ，ＰＡＥＫまたは複合材料、あるいはセラミックまたはポリエチレン等の複数の材料から成る。
【００１８】
図１には、脛骨コンポーネント２の溝９内で可動のベアリングシェル８の実施形態が示されている。この溝９は、前後方向において直線的に形成されていてよいか、または大腿骨回動を決定する曲率半径を備えて形成されていてもよく、この場合、大腿骨回動は、約１５度の内回りと外回りとに制限される（図示せず）。曲率半径は、大腿骨コンポーネントのそのときどきの大きさに応じて変わる。
【００１９】
図２には、図１に示した脛骨コンポーネント２の、大腿骨コンポーネント１に面した脛骨プラトーを上から見た図が示されている。内側ベアリングシェル７が球面状に形成されていることを良好に認識することができる。内側ベアリングシェル７に並んで、大腿骨顆部とは合致しないベアリングシェル８が配置されており、ベアリングシェル８は、脛骨プラトーと固く結合されていてよいか（図示せず）、または脛骨プラトー上で溝９内を可動に案内されている。
【００２０】
図３には、図２に示した３−３線に沿った断面図が示されている。大腿骨顆部１ｂとは前後方向において合致しないベアリングシェル８が、脛骨プラトーに固く固定されて、または溝９内で可動に用いられている一方で、顆状面１ａは、球面状の内側ベアリングシェル７内に合致して関節接合している。
【００２１】
図４には、図３に示した４−４線に沿った断面図が示されている。顆状面１ａは、球面状の内側ベアリングシェル７内に合致して関節接合している。伸展（伸長状態）におけるジョイント安定化のために、ベアリングシェル７は前方向に隆起部１０を有している。
【００２２】
図５には、図３に示した５−５線に沿った断面図が示されている。顆状面１ｂは、ベアリングシェル８内で関節接合しており、かつ屈曲運動の他に、前後方向での並進運動をも可能にする。図５には、顆状面１ｂの２つの可能な位置ならびに並進距離が示されている。
【符号の説明】
【００２３】
１  大腿骨コンポーネント、１ａ  顆状面
２  脛骨コンポーネント
３  線３−３
４  線４−４
５  線５−５
６  ボルト
７  内側ベアリングシェル
８  合致したベアリングシェル
９  溝
１０  隆起部
１１  脛骨プラトー
【図１】
2018529477.tif 000003
【図２】
2018529477.tif 000004
【図３】
2018529477.tif 000005
【図４】
2018529477.tif 000006
【図５】
2018529477.tif 000007
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
大腿骨遠位部に固定する、２つの顆状面（１ａ，１ｂ）を有する大腿骨コンポーネント（１）と、脛骨近位部に固定する脛骨コンポーネント（２）と、これら２つのコンポーネント（１，２）の間の複数の滑動面とを備えた膝用体内プロテーゼにおいて、
前記脛骨コンポーネント（２）に関節接合する前記大腿骨コンポーネント（１）全体、ただし少なくとも前記大腿骨コンポーネント（１）の各前記顆状面（１ａ，１ｂ）は、固く焼結されたセラミックから成っており、前記脛骨コンポーネント（２）は、固く焼結されたセラミックから成る脛骨プラトーを有しており、該脛骨プラトーは、前記大腿骨コンポーネント（１）に面した上面に球面状の内側ベアリングシェル（７）を有しており、該球面状の内側ベアリングシェル（７）は、前記脛骨プラトーの組込み構成部材でありかつ前記脛骨プラトーと一体的に形成されており、大腿骨内側顆部（１ａ）の関節面も同様に球面状に形成されていて、前記球面状の内側ベアリングシェル（７）と共に１つの合致したボールジョイントを成しており、前記球面状の内側ベアリングシェル（７）に並んで外側には、前記大腿骨コンポーネント（１）の回動を可能にする、前後方向において複数の半径から形成されていて、前記脛骨プラトーと一体的に形成されているか、または前記脛骨プラトーに対して相対的に可動のインレーである、大腿骨顆部（１ｂ）とは合致しないベアリングシェル（８）が配置されていることを特徴とする、膝用体内プロテーゼ。
【請求項２】
前記脛骨プラトーは、脛骨近位部に面した下面に、固定用のボルト（６）を有している、請求項１記載の膝用体内プロテーゼ。
【請求項３】
前記インレーは、ＵＨＭＷＰＥ，ＰＥＥＫ，ＰＡＥＫまたは複合材料または固く焼結されたセラミックまたはポリエチレンから成る、請求項１または２記載の膝用体内プロテーゼ。
【請求項４】
前記インレーは、前記脛骨プラトー上の溝（９）内で可動である、請求項１から３までのいずれか１項記載の膝用体内プロテーゼ。
【請求項５】
前記溝（９）は、前後方向において直線的に形成されているか、または大腿骨回動を決定する曲率半径を備えて形成されている、請求項４記載の膝用体内プロテーゼ。
【請求項６】
前記大腿骨回動は、最大１５度の内回りと外回りとに制限されている、請求項１から５までのいずれか１項記載の膝用体内プロテーゼ。
【請求項７】
前記ベアリングシェル（８）またはインレーは、前方向に隆起部（１０）を有している、請求項１から６までのいずれか１項記載の膝用体内プロテーゼ。
【請求項８】
前記顆状面（１ｂ）は、前記ベアリングシェル（８）内で関節接合しており、屈曲運動の他に、前後方向での並進運動をも行うことができる、請求項１から７までのいずれか１項記載の膝用体内プロテーゼ。
【請求項９】
請求項１から８までのいずれか１項記載の膝用体内プロテーゼの脛骨コンポーネントにおいて、該脛骨コンポーネント（２）は、固く焼結されたセラミックから成る脛骨プラトーを有しており、該脛骨プラトーは、球面状の内側ベアリングシェル（７）を有しており、該球面状の内側ベアリングシェル（７）は、前記脛骨プラトーの組込み構成部材でありかつ前記脛骨プラトーと一体的に形成されており、前記球面状の内側ベアリングシェル（７）に並んで、前記大腿骨コンポーネント（１）の回動を可能にする、前後方向において複数の半径から形成されていて、前記脛骨プラトーと一体的に形成されているか、または前記脛骨プラトーに対して相対的に可動なインレーである、前記大腿骨顆部とは合致しないベアリングシェル（８）が配置されていることを特徴とする、膝用体内プロテーゼの脛骨コンポーネント。
【手続補正２】
【補正対象書類名】明細書
【補正対象項目名】００２３
【補正方法】変更
【補正の内容】
【００２３】
１  大腿骨コンポーネント、１ａ  顆状面
２  脛骨コンポーネント
３  線３−３
４  線４−４
５  線５−５
６  ボルト
７  内側ベアリングシェル
８  合致したベアリングシェル
９  溝
１０  隆起部
【国際調査報告】
2018529477.tif 000008
2018529477.tif 000009
2018529477.tif 000010
2018529477.tif 000011